(57)【要約】【課題】使用者に充電状態を直ちに通知し得る電子装置を提供する。【解決手段】本発明は、電子装置を開示し、電子装置は、ケーシングと、発光モジュールと、光透過部分と、バッテリモジュールと、制御モジュールとを含む。発光モジュール及びバッテリモジュールは、ケーシングの内側に配置される。発光モジュールから発せられる光は、光透過部分を透過し得る。制御モジュールは、ケーシングの内側に配され、バッテリモジュール及び発光モジュールに電気的に接続される。外部電源がバッテリモジュールを充電するときに、制御モジュールは、バッテリモジュールの現時点での電気容量に従った異なる通知メッセージを生成するために、バッテリモジュールのフル電気容量に対する現時点での電気容量の容量比に従って光透過部分を通じてケーシングの外側に進むよう、異なる光を発するよう発光モジュールを制御するためにある。【選択図】図１
2015130789.tif 000002
【特許請求の範囲】
【請求項１】
ケーシングと、
該ケーシングの内側に配置される発光モジュールと、
該発光モジュールから放射される光を通す光透過部分と、
前記ケーシングの内側に配置されるバッテリモジュールと、
前記ケーシングの内側に配置され且つ前記バッテリモジュール及び前記発光モジュールに電気的に接続される制御モジュールとを含み、
該制御モジュールは、前記バッテリモジュールの現時点での電気容量に従った異なる通知メッセージを生成するために、外部電源が前記バッテリモジュールを充電するときに、前記バッテリモジュールのフル電気容量に対する現時点での電気容量の容量比に従って前記光透過部分を通じて前記ケーシングの外側に進むよう、異なる光を発するよう前記発光モジュールを制御するためにある、
電子装置。
【請求項２】
前記外部電源は、ケーブルによって或いは無線で前記バッテリモジュールを充電する、請求項１に記載の電子装置。
【請求項３】
前記通知メッセージは、前記容量比に従った閃光周波数を備える閃光メッセージである、請求項２に記載の電子装置。
【請求項４】
前記通知メッセージは、前記容量比に従った輝度を備える明るいメッセージである、請求項２に記載の電子装置。
【請求項５】
前記光透過部分は、テキストパターン又は図形パターンである、請求項１に記載の電子装置。
【請求項６】
前記通知メッセージは、前記容量比に従った閃光周波数を備える閃光メッセージである、請求項５に記載の電子装置。
【請求項７】
前記通知メッセージは、前記容量比に従った輝度を備える明るいメッセージである、請求項５に記載の電子装置。
【請求項８】
前記発光モジュールは、テキストパターン又は図形パターンに配される複数の発光素子を含み、前記制御モジュールは、前記容量比に従って前記光透過部分を通じて前記ケーシングの外側に進むように光を放射するよう、異なる数の前記複数の発光素子を制御するためにある、請求項１に記載の電子装置。
【請求項９】
前記通知メッセージは、前記容量比に従った閃光周波数を備える閃光メッセージである、請求項８に記載の電子装置。
【請求項１０】
前記通知メッセージは、前記容量比に従った輝度を備える明るいメッセージである、請求項８に記載の電子装置。
【請求項１１】
前記通知メッセージは、前記容量比に従った閃光周波数を備える閃光メッセージである、請求項１に記載の電子装置。
【請求項１２】
前記容量比が低い容量比に対応するとき、前記制御モジュールは、低い閃光周波数を備える前記閃光メッセージを発するよう前記発光モジュールを制御するためにあり、前記容量比が漸進的に増大するに応じて、前記制御モジュールは、前記増大する容量比に従って前記閃光周波数を漸進的に増大させる、請求項１１に記載の電子装置。
【請求項１３】
前記通知メッセージは、前記容量比に対応する輝度を備える明るいメッセージである、請求項１に記載の電子装置。
【請求項１４】
前記容量比が低い容量比に対応するとき、前記制御モジュールは、低い輝度を備える明るいメッセージを発するよう前記発光モジュールを制御するためにあり、前記容量比が漸進的に増大するに応じて、前記制御モジュールは、前記増大する容量比に従って前記輝度を漸進的に増大させる、請求項１３に記載の電子装置。
【請求項１５】
前記現時点での電気容量が前記フル電気容量であり、前記バッテリモジュールが前記外部電源に電気的に接続されるとき、前記制御モジュールは、前記光を発しないよう或いは連続的な光を選択的に発するよう前記発光モジュールを制御するためにある、請求項１に記載の電子装置。
【請求項１６】
当該電子装置がオフにされるか或いは待機中であり、前記バッテリモジュールが前記外部電源に電気的に接続されているとき、前記制御モジュールは、前記通知メッセージを発するよう前記発光モジュールを制御するためにある、請求項１に記載の電子装置。
【請求項１７】
前記ケーシングに穴が形成され、前記光透過部分は、前記穴の内側に配される、請求項１に記載の電子装置。
【請求項１８】
前記ケーシングの上に配される保護層を更に含み、該保護層は、透明材料で作製され、前記光透過部分は、前記ケーシング内の第１の透過領域と、前記保護層内の第２の透過領域とを含む、請求項１に記載の電子装置。
【請求項１９】
前記光透過部分は、前記ケーシング内の第１の透過領域と、前記発光モジュールのカバーの上の第２の透過領域とを含む、請求項１に記載の電子装置。
【発明の詳細な説明】
【技術分野】
【０００１】
本発明は電子装置に関し、より具体的には、瞬間電力通知機能を備える電子装置に関する。
【背景技術】
【０００２】
従来的な電子装置は、しばしば、ケーシングの穴の内側に配置される小型のＬＥＤを有する。電子装置が充電されるとき、ＬＥＤは、電子装置が充電状態にあることを使用者に通知するために如何なる変化をも伴わずに光を発するに過ぎない。しかしながら、この構成において電子装置は単調な外観を有し、変化を伴う光によって電子装置の電気容量を使用者に通知し得ない。その上、スマートフォンのような電子装置が充電されるとき、スマートフォンのプロセッサは、使用者に通知するために電気容量を示すよう、スマートフォンのスクリーンを制御し得る。しかしながら、スマートフォンが待機中であり或いはスマートフォンのスクリーンがオフにされているとき、スマートフォンは使用者に充電状態を直ちに通知し得ず、使用者は充電状態を示すためにスクリーンを目覚めさせなければならず、不便な操作を招く。従って、充電状態を使用者に直ちに通知し得る電子装置を設計することは重要な問題である。
【発明の概要】
【発明が解決しようとする課題】
【０００３】
本発明の目的は、上述の問題を解決するために、使用者に充電状態を直ちに通知し得る電子装置を提供することである。
【課題を解決するための手段】
【０００４】
本開示によれば、電子装置は、ケーシングと、発光モジュールと、光透過部分と、バッテリモジュールと、制御モジュールとを含む。発光モジュール及びバッテリモジュールは、ケーシングの内側に配される。発光モジュールから放射される光は、光透過部分を透過し得る。制御モジュールは、ケーシングの内側に配され、バッテリモジュール及び発光モジュールに電気的に接続される。外部電源がバッテリモジュールを充電するとき、制御モジュールは、バッテリモジュールの現時点での電気容量に従った異なる通知メッセージを生成するために、バッテリモジュールのフル電気容量に対する現時点での電気容量の容量比に従って光透過部分を通じてケーシングの外側に進む異なる光を連続的に発するよう発光モジュールを制御するためにある。
【０００５】
本開示によれば、外部電源はケーブルによって或いは無線でバッテリモジュールを充電する。
【０００６】
本開示によれば、光透過部分は、テキストパターン又は図形パターンである。
【０００７】
本開示によれば、発光モジュールは、テキストパターン又は図形パターンに配される複数の発光素子を含み、制御モジュールは、容量比に従って光透過部分を通じてケーシングの外側に進む光を放射するよう異なる数の複数の発光素子を制御するためにある。
【０００８】
本開示によれば、通知メッセージは、容量比に従った閃光周波数を備える閃光メッセージである。
【０００９】
本開示によれば、容量比が低い容量比に対応するとき、制御モジュールは、低い閃光周波数を備える閃光メッセージを発するよう発光モジュールを制御するためにあり、容量比が漸進的に増大するとき、制御モジュールは、増大する容量比に従って閃光周波数を漸進的に増大させる。
【００１０】
本開示によれば、通知メッセージは、容量比に対応する輝度を備える明るいメッセージである。
【００１１】
本開示によれば、容量比が低い容量比に対応するとき、制御モジュールは、低い輝度を備える明るいメッセージを発するよう発光モジュールを制御するためにあり、容量比が漸進的に増大するとき、制御モジュールは、増大する容量比に従って輝度を漸進的に増大させる。
【００１２】
本開示によれば、現時点での電気容量がフル電気容量であり、バッテリモジュールが外部電源に電気的に接続されるとき、制御モジュールは、光を発しないよう或いは連続的な光を選択的に発するよう発光モジュールを制御するためにある。
【００１３】
本開示によれば、電子装置がオフにされるか或いは待機中であり、バッテリモジュールが外部電源に電気的に接続されているとき、制御モジュールは、通知メッセージを発するよう発光モジュールを制御するためにある。
【００１４】
本開示によれば、ケーシングに穴が形成され、光透過部分は、穴の内側に配される。
【００１５】
本開示によれば、電子装置は、ケーシングの上に配される保護層を更に含む。保護層は、透明材料で作製され、光透過部分は、ケーシング内の第１の透過領域と、保護層内の第２の透過領域とを含む。
【００１６】
本開示によれば、光透過部分は、ケーシング内の第１の透過領域と、発光モジュールのカバーの上の第２の透過領域とを含む。
【００１７】
本発明における制御モジュールは、現時点での電気容量を使用者に通知するよう異なる通知メッセージを生成するために、外部電源がバッテリモジュールを充電するときにはいつでも可変周波数又は可変輝度を備える光を放射するよう、発光モジュールを連続的に制御するように設計される。従って、それは充電状態を示すために使用者が電子装置のスクリーンを目覚めさせなければならないという従来技術の問題を解決する。加えて、外部電源がバッテリモジュールを充電しないときに光を発するよう発光モジュールを制御しないようにも制御モジュールを設計し得る。その上、電子装置の全体的な外観の均一性を維持するために、発光モジュールが光を発しないときに光透過部分によって形成されるテキストパターン又は図形パターンが表されないよう、光透過部分の色をケーシングの色と同一に又は類似に設計し得る。結果的に、それはケーシングの穴内に配置されるＬＥＤが全体的な外観の均一性に影響を及ぼすという従来技術の問題も解決する。
【００１８】
本発明のこれらの及び他の目的は、様々の図面及び図に例示される好適実施態様の以下の詳細な記載を判読した後に、当業者に明らかになるであろう。
【図面の簡単な説明】
【００１９】
【図１】電子装置が本発明の実施態様に従って充電されていることを示す概略図である。
【図２】本発明の実施態様に従って外部電源に電気的に接続される電子装置を示すブロック図である。
【図３】本発明の実施態様に従った電子装置を示す部分図である。
【図４】本発明の実施態様に従った図３の線Ｘ−Ｘ’に沿う電子装置を示す断面図である。
【図５】本発明の他の実施態様に従った電子装置を示す断面図である。
【図６】本発明の他の実施態様に従った電子装置を示す部分図である。
【図７】本発明の他の実施態様に従った電子装置を示す部分図である。
【図８】本発明の他の実施態様に従った電子装置を示す上面図である。
【図９】外部電源が本発明の実施態様に従った電子装置に接続されていないことを示す概略図である。
【発明を実施するための形態】
【００２０】
図１及び図２を参照のこと。図１は、電子装置５０が本発明の実施態様に従って充電されていることを例示する図面である。図２は、本発明の実施態様に従って外部電源５１に電気的に接続される電子装置５０のブロック図である。電子装置５０は、スマートフォン、タブレットコンピュータ、又はスマートＴＶであり得る。電子装置５０は、ケーシング５２と、光透過部分５３と、発光モジュール５４と、バッテリモジュール５６と、制御モジュール５８とを含む。図１乃至図４を参照のこと。図３は、本発明の実施態様に従った電子装置５０の部分図である。図４は、本発明の実施態様に従った図３中の線Ｘ−Ｘ’に沿う電子装置５０の断面図である。図４に示されるように、穴５２１がケーシング５２に形成され、光透過部分５３は穴５２１の内側に配置される。ケーシング５２の穴５２１及び光透過部分５３は、ケーシング５２の後面、前面、又は側面のような、ケーシング５２の如何なる位置にあってもよい。穴５２１及び光透過部分５３をテキストパターン又は図形パターンとしてそれぞれ形成し得る。例えば、穴５２１及び光透過部分５３を図１に示されるようなロゴパターンとしてそれぞれ形成し得る。ケーシング５２を金属材料で作製し、光透過部分５３をガラス又は透明プラスチックのような透明材料で作製し得る。ケーシング５２及び光透過部分５３の材料は、この実施態様に限定されず、実際の設計要求に依存する。発光モジュール５４は、光透過部分５３に対応する位置でケーシング５２の内側に配置される。テキストパターン又は図形パターンに対応する光形状を表すために、発光モジュール５４は、光を発するために光透過部分５３を通じ、次にケーシング５２の外側に進む。発光モジュール５４が光を発しないときに、光透過部分５３によって形成されるテキストパターン又は図形パターンを表し得ないよう、光透過部分５３の色をケーシング５２の色と同一又は類似に設計し得る。発光モジュール５４が光を発し、光が光透過部分５３を通じ、次にケーシング５２の外側に進むときにのみ、光透過部分５３によって形成されるテキストパターン又は図形パターンを表し得る。
【００２１】
図２に示されるように、バッテリモジュール５６は、ケーシング５２の内側に配置され、制御モジュール５８及び発光モジュール５４に電気的に接続される。即ち、バッテリモジュール５６は、電子装置５０が使用者のために機能を実行し得るよう、電子装置５０の内部素子に電気をもたらすためにある。外部電源３をバッテリモジュール５６に電気的に接続し得る。外部電源５１は、ケーブルによって或いは無線でバッテリモジュール５６を充電する。即ち、バッテリモジュール５６を充電するための如何なる方法も本発明の範囲内にある。制御モジュール５８は、ケーシング５２の内側に配置され、バッテリモジュール５６及び発光モジュール５４に電気的に接続される。外部電源５１がバッテリモジュール５６を充電するときに、電子装置５０が充電状態にあることを使用者に通知するよう、制御モジュール５８は、発光モジュール５４が光を発し、光が光透過部分５３を通じ、次にケーシング５２の外側に進むよう、発光モジュール５４を制御するためにある。その上、制御モジュール５８は、バッテリモジュール５６の現時点での電気容量に従った異なる通知メッセージを連続的に生成するために、バッテリモジュール５６のフル電気容量に対する現時点での電気容量の容量比に従った異なる光を連続的に発するよう、発光モジュール５４を制御し得る。加えて、電子装置５０がオフにされ或いは待機中であり、バッテリモジュール５６が外部電源５１に電気的に接続されるときに、制御モジュール５８は、通知メッセージを発するよう発光モジュール５４を依然として制御するためにある。
【００２２】
この実施態様において、通知メッセージは、容量比に対応する閃光周波数を備える閃光メッセージであり得る。例えば、容量比が１０％のような低い容量比に対応するとき、制御モジュール５８は、１０Ｈｚのような低い閃光周波数を備える閃光メッセージを発するよう、発光モジュール５４を制御するためにある。即ち、テキストパターン「ＢＢＧ」は一度０．１秒閃光するが、それに限定されない。例えば、それは二度０．１秒閃光し得る。容量比が１０％から６０％に増大するように漸進的に増大するとき、制御モジュール５８は、閃光周波数を１０Ｈｚから６０Ｈｚに増大させるように、容量比に従って閃光周波数を漸進的に増大させる。従って、制御モジュール５８は、バッテリモジュール５６の現時点での電気容量が高いか或いは低いかを異なる閃光周波数によって決定し得る。この実施態様において、低い閃光周波数は低い容量比に対応し、高い閃光周波数は高い容量比に対応するが、この実施態様に限定されない。例えば、低い閃光周波数が高い容量比に対応し、高い閃光周波数が低い容量比に対応するよう設計し得る。
【００２３】
更に、この実施態様において制御モジュール５８は容量比に従って比例的に漸進的に閃光周波数を増大させることが注目される。即ち、容量比と閃光周波数との間の関係は一次関数である。しかしながら、制御モジュール５８によって閃光周波数を増大させる方法は、この実施態様に限定されない。例えば、容量比と閃光周波数との間の関係が指数関数であるよう設計し得る。バッテリモジュール５６の電気容量がフル電気容量であり、バッテリモジュール５６が外部電源５１に電気的に接続されるとき、即ち、容量比が１００％であるとき、制御モジュール５８は、電子装置５０が完全に充電されたことを通知するために、発光モジュール５４が光を発しないか或いは連続的な光を選択的に発するよう制御するためにある。
【００２４】
その上、他の実施態様では、バッテリモジュール５６の容量比に対応する輝度（明るさ）を備える明るいメッセージであるよう通知メッセージを設計し得る。例えば、バッテリモジュール５６の容量比が１０％のような低い容量比であるとき、制御モジュール５８は、発光モジュール５４が１００ｌｍのような低い輝度を備える明るいメッセージを発するよう制御するためにある。容量比が１０％から６０％のように漸進的に増大するとき、制御モジュール５８は、輝度を１００ｌｍから３５０ｌｍに増大させるように、容量比に従って輝度を漸進的に増大させる。従って、制御モジュール５８は、バッテリモジュール５６の現時点での電気容量が高いか或いは低いかを異なる輝度によって決定し得る。同様に、この実施態様において、低い輝度は低い容量比に対応し、高い輝度は高い容量比に対応するが、この実施態様に限定されない。例えば、高い輝度が低い容量比に対応し、低い輝度が高い容量比に対応するよう設計し得る。
【００２５】
図２及び図５を参照のこと。図５は、本発明の他の実施態様に従った電子装置５０の断面図である。この実施態様において、電子装置５０は、ケーシング５２の上に配置された保護層６０を更に含み得る。保護層６０は、電子装置５０を損傷から保護するために、保護ガラス又は塗料層のような透明材料で作製される。光透過部分５３は、ケーシング５２内の第１の透過領域５３１と、保護層６０内の第２の透過領域５３２とを含む。外部電源５１がバッテリモジュール５６を充電するとき、制御モジュール５８は、異なる通知メッセージを生成するために、発光モジュール５４が光を発し、光が第１の透過領域５３１及び第２の透過領域５３２を順次的に通り、次にケーシング５２の外側に進むよう、発光モジュールを制御するためにある。この実施態様における構造設計は、電子装置５０の外観を向上させるためにある。この実施態様における通知メッセージは、閃光メッセージ又は明るいメッセージであり得る。この実施態様における動作原理は、前の実施態様における動作原理と同じであるので、それはここでは省略される。加えて、図２及び図６を参照のこと。図６は、本発明の他の実施態様に従った電子装置１５０の図面である。この実施態様において、光透過部分５３の第１の透過領域５３１は、ケーシング５２内にあり、第２の透過領域５３２は、発光モジュール５４のカバー５４１の上にある。この構造設計において、第２の透過領域５３２の上に形成されるテキストパターン又は図形パターンは、製造プロセスの複雑性を減少させるために、発光モジュール５４の上に直接的に配置される。この実施態様における通知メッセージは、閃光メッセージ又は明るいメッセージであり得る。この実施態様における動作原理は、前の実施態様における動作原理と同じであるので、それはここでは省略される。
【００２６】
図２、図７、及び図８を参照のこと。図７及び図８は、それぞれ本発明の他の実施態様に従った電子装置２５０の概略図及び上面図である。この実施態様において、光透過部分５３は、ケーシング５２の上の透明領域である。発光モジュール５４は、複数の発光素子５４３を含む。複数の発光素子５４３は、複数のＬＥＤであり得る。複数の発光素子５４３を図７及び図８に示されるテキストパターン「ＢＢＧ」として配置されるようなテキストパターン又は図形パターンとして配置し得る。制御モジュール５８は、異なる通知メッセージを生成するために、異なる数の複数の発光素子５４３が光を発し、光が光透過部分５３を通り、次に透過率に応じてケーシング５２の外側に進むよう、異なる数の複数の発光素子５４３を制御するためにある。例えば、容量比が３０％であるとき、制御モジュール５８は、光を発するために、第１の文字「Ｂ」で構成される発光素子５４３を制御し得るだけである。容量比が３０％から６０％に増大するとき、制御モジュール５８は、光を同時に発するために、第１の文字「Ｂ」及び第２の文字「Ｂ」で構成される発光素子５４３を制御し得る。従って、制御モジュール５８は、光を発する発光素子５４３の数に従ってバッテリモジュール５６の現時点での電気容量が高いか或いは低いかを決定し得る。光を発するよう制御モジュール５８によって制御される発光素子５４３の数と容量比との間の関係は上の実施態様に限定されず、それは実際の設計要求に依存する。その上、波高素子が閃光メッセージ又は明るいメッセージを発するよう制御するために制御モジュール５８を設計し得る。そして、この実施態様における動作原理は、前の実施態様における動作原理と同じであるので、それはここでは省略される。
【００２７】
図２及び図９を参照のこと。図９は、外部電源５１が本発明の実施態様に従った電子装置５０に接続されていないことを例示する概略図である。本発明の如何なる実施態様においても、電子装置は、外部電源５１が取り外されてバッテリモジュール５６に電気的に接続されていないときに、即ち、外部電源５１が電子装置５０のバッテリモジュール５６を充電していないときに、電子装置５０が不要な電気を浪費するのを防止するために、発光モジュール５４が光を発するように制御モジュール５８が発光モジュール５４を制御しないよう設計され得る。
【００２８】
従来技術と対照的に、本発明における制御モジュールは、使用者に現時点での電気容量を通知するよう異なる通知メッセージを生成するために、外部電源がバッテリモジュールを充電するときにはいつでも可変周波数又は可変輝度を備える光を発するよう、発光モジュールを連続的に制御するように設計される。従って、それは電子装置のスクリーンの上に充電状態を示すために使用者が電子装置を目覚めさせなければならないという従来技術の問題を解決する。加えて、外部電源がバッテリモジュールを充電しないときに光を発するよう発光モジュールを制御しないようにも制御モジュールを設計し得る。その上、電子装置の全体的な外観の均一性を維持するために、発光モジュールが光を発しないときに光透過部分によって形成されるテキストパターン又は図形パターンが表されないよう、光透過部分の色をケーシングの色と同一に又は類似に設計し得る。結果的に、それはケーシングの穴内に配置されるＬＥＤが全体的な外観の均一性に影響を及ぼすという従来技術の問題も解決する。
【００２９】
当業者は、本発明の教示を維持しながら装置及び方法の数多くの変形及び変更を行い得ることに直ちに気付くであろう。従って、上記の開示は付属の請求項の境界によってのみ限定されるものとして理解されるべきである。
【符号の説明】
【００３０】
５０    電子装置
５１    外部電源
５２    ケーシング
５３    光透過部分
５４    発光モジュール
５６    バッテリモジュール
５８    制御モジュール
６０    保護層
１５０  電子装置
２５０  電子装置
５２１  穴
５３１  第１の透過領域
５３２  第２の透過領域
５４１  カバー
５４３  複数の発光素子
【図１】
2015130789.tif 000003
【図２】
2015130789.tif 000004
【図３】
2015130789.tif 000005
【図４】
2015130789.tif 000006
【図５】
2015130789.tif 000007
【図６】
2015130789.tif 000008
【図７】
2015130789.tif 000009
【図８】
2015130789.tif 000010
【図９】
2015130789.tif 000011